(57)【要約】【課題】回収箱内の粉塵を容易に回収できるエアフィルタ装置、空気調和装置及び車両を提供する。【解決手段】ろ材２と、ろ材２に付着した粉塵を捕集する紙パック２１と、紙パック２１が設けられ、ろ材２の一部と対向する側面に開口部７ａが形成された回収箱７と、ろ材２に付着した粉塵を回収箱７の内部に導く吸引装置９とを備え、回収箱７は、下面が吸入口１８の一部と対向する位置に設けられ、開閉自在となっている。【選択図】図１
2014121674.tif 000002
【特許請求の範囲】
【請求項１】
天井上部に設けられ、該天井に形成された吸入口を介して空調対象空間内の空気が導入されるエアフィルタ装置であって、
ろ材と、
前記ろ材に付着した粉塵を捕集する集塵部と、
前記集塵部が設けられ、前記ろ材の一部と対向する側面に開口部が形成された回収箱と、
前記ろ材に付着した粉塵を前記回収箱の内部に導く吸引装置とを備え、
前記回収箱は、
下面が前記吸入口の一部と対向する位置に設けられ、開閉自在となっている
ことを特徴とするエアフィルタ装置。
【請求項２】
前記開口部には吸込ノズルが取り付けられた
ことを特徴とする請求項１記載のエアフィルタ装置。
【請求項３】
前記集塵部には回収口が形成され、
前記回収口の周縁を保持する保持部と、
前記開口部の上部及び前記開口部の下部に設けられ、前記集塵部を前記回収箱に固定する可動式の固定手段とを備え、
各前記固定手段は、前記保持部を挟み込むことで前記集塵部を前記回収箱に固定し、前記保持部への挟み込みを解放することで、前記集塵部の前記回収箱への固定状態を解除する
ことを特徴とする請求項１又は請求項２記載のエアフィルタ装置。
【請求項４】
前記集塵部には回収口が形成され、
前記回収口の周縁を保持する保持部と、
前記開口部の上部に設けられた可動式の固定手段と、
前記開口部の下部に設けられ、バネ押え付で水平移動可能な第１プランジャとを備え、
前記固定手段が前記保持部を挟み込み、前記第１プランジャが前記回収箱の内側に向かって水平方向に移動することで、前記集塵部は前記回収箱に固定され、
前記固定手段の前記保持部への挟み込みを解放し、前記第１プランジャが前記回収箱の外側に向かって水平方向に移動することで、前記集塵部の前記回収箱への固定状態が解除される
ことを特徴とする請求項１又は請求項２記載のエアフィルタ装置。
【請求項５】
前記集塵部には回収口が形成され、
前記回収口の周縁を保持する保持部と、
前記開口部の上部に設けられた可動式の固定手段と、
前記開口部の下部に設けられ、バネ押え付で上下移動可能な第２プランジャと、
前記開口部と対向する側面であって前記第２プランジャと同一の高さ位置に設けられ、バネ押え付で上下移動可能な第３プランジャとを備え、
前記回収箱には、前記第２プランジャ及び前記第３プランジャが差し込まれる窪み部がそれぞれ形成され、
前記集塵部は、該集塵部を収納する集塵部収納箱に予め収納され、
前記固定手段が前記保持部を挟み込み、前記第２プランジャ及び前記第３プランジャを各前記窪み部に差し込むことで、前記集塵部は前記回収箱に固定され、
前記固定手段の前記保持部への挟み込みを解放し、前記第２プランジャ及び前記第３プランジャを各前記窪み部から抜くことで、前記集塵部の前記回収箱への固定状態が解除される
ことを特徴とする請求項１又は請求項２記載のエアフィルタ装置。
【請求項６】
前記集塵部は、
該集塵部が前記集塵部収納箱に収納された状態で予め前記回収箱の下面に取り付けられた
ことを特徴とする請求項５記載のエアフィルタ装置。
【請求項７】
前記回収箱の下面は、ヒンジあるいは蝶番を介して取り付けられている
ことを特徴とする請求項１〜請求項６の何れか一項に記載のエアフィルタ装置。
【請求項８】
請求項１〜請求項７の何れか一項に記載のエアフィルタ装置と、
前記エアフィルタ装置の下流側に設けられた室内熱交換器と、
前記室内熱交換器の下流側に設けられた室内送風機と、
前記室内熱交換器及び前記室内送風機が収容される空気調和装置本体と、を備えた
ことを特徴とする空気調和装置。
【請求項９】
請求項８記載の空気調和装置が天井上部に設けられた
ことを特徴とする車両。
【発明の詳細な説明】
【技術分野】
【０００１】
本発明は、エアフィルタ装置、空気調和装置及び車両に関する。
【背景技術】
【０００２】
従来、「車両の天井の上面に形成された吸気口の近傍位置に配設され、・・・フィルター体に付着した粉塵を吸い込む吸込ノズルと、該吸込ノズルに吸引力を与える吸込ファンを有する吸引装置と、」排出ホースとを備えた空気調和装置があった（例えば、特許文献１）。
【０００３】
特許文献１の空気調和装置においては、例えば、排出ホースに接続される回収箱が設けられ、吸引装置で吸引された粉塵が排出ホースを介して回収箱に回収されることが例示されている。
また、特許文献１の空気調和装置においては、例えば、排出ホースの排出側が、車両の屋根の側壁に形成された粉塵排出口に接続され、吸引装置で吸引された粉塵が、排出ホースを介して粉塵排出口から車外へ排出されることが例示されている。
【先行技術文献】
【特許文献】
【０００４】
【特許文献１】特開２０１１−１４０２４９号公報（［００２３］、［００２４］、図９、図１０）
【発明の概要】
【発明が解決しようとする課題】
【０００５】
しかしながら、特許文献１の空気調和装置では、排出ホースの取り回しにより、車体側壁への穴加工や、当該穴から空気調和装置内部への雨水侵入を防ぐための施工を要するため、内部構造が複雑となる課題があった。
【０００６】
本発明は、上述のような課題を背景としてなされたものであり、回収箱内の粉塵を容易に回収できるエアフィルタ装置、空気調和装置及び車両を提供することを目的とする。
【課題を解決するための手段】
【０００７】
本発明のエアフィルタ装置は、天井上部に設けられ、該天井に形成された吸入口を介して空調対象空間内の空気が導入されるエアフィルタ装置であって、ろ材と、前記ろ材に付着した粉塵を捕集する集塵部と、前記集塵部が設けられ、前記ろ材の一部と対向する側面に開口部が形成された回収箱と、前記ろ材に付着した粉塵を前記回収箱の内部に導く吸引装置とを備え、前記回収箱は、下面が前記吸入口の一部と対向する位置に設けられ、開閉自在となっているものである。
【０００８】
本発明の空気調和装置は、上記のエアフィルタ装置と、上記のエアフィルタ装置の下流側に設けられた室内熱交換器と、前記室内熱交換器の下流側に設けられた室内送風機と、前記室内熱交換器及び前記室内送風機が収容される空気調和装置本体と、を備えたものである。
【０００９】
本発明の車両は、上記の空気調和装置が天井上部に設けられたものである。
【発明の効果】
【００１０】
本発明によれば、上記構成を備えたため、回収箱内の粉塵を容易に回収できる。
【図面の簡単な説明】
【００１１】
【図１】本発明の実施の形態１に係るエアフィルタ装置を備えた空気調和装置が搭載された車両の模式図である。
【図２】本発明の実施の形態１に係るエアフィルタ装置を備えた空気調和装置が搭載された車両の縦断面図である。
【図３】本発明の実施の形態１に係るエアフィルタ装置を備えた空気調和装置の縦断面図であり、図２の部分拡大図である。
【図４】本発明の実施の形態１に係るエアフィルタ装置の拡大模式図である。
【図５】本発明の実施の形態１に係るエアフィルタ装置の回収箱の縦断面図である。
【図６】本発明の実施の形態２に係るエアフィルタ装置の回収箱の縦断面図である。
【図７】本発明の実施の形態３に係るエアフィルタ装置の回収箱の縦断面図である。
【図８】本発明の実施の形態４に係るエアフィルタ装置の回収箱の縦断面図である。
【発明を実施するための形態】
【００１２】
実施の形態１．
図１は、本発明の実施の形態１に係るエアフィルタ装置１を備えた空気調和装置１０が搭載された車両１００の模式図である。図２は、本発明の実施の形態１に係るエアフィルタ装置１を備えた空気調和装置１０が搭載された車両１００の縦断面図である。
図１に示されるように、車両１００は、客室５０の化粧面である天井１７の上部に設けられる空気調和装置１０を備えている。天井１７には、吸入口１８及び吹出口１９が形成され、図２に示されるように、吸入口１８よりも車両１００の幅方向中央部寄りに吹出口１９が位置している。なお、図２では空気の流れを矢印で表している。
【００１３】
なお、客室５０が、本発明における「空調対象空間」に相当する。
【００１４】
図３は、本発明の実施の形態１に係るエアフィルタ装置１を備えた空気調和装置１０の縦断面図であり、図２の部分拡大図である。図４は、本発明の実施の形態１に係るエアフィルタ装置１の拡大模式図である。
図３に示されるように、空気調和装置１０は、エアフィルタ装置１、空気調和装置本体１０ａ、側面カバー１１、室内熱交換器１２、室内送風機１３、及び底板１５ａ，１５ｂを備えている。
【００１５】
図３、図４に示されるように、エアフィルタ装置１は、ろ材２、駆動軸３ａ，３ｂと、巻き取りモータ（図示省略）と、吸込ノズル６、回収箱７、及び吸引装置９を備え、天井１７の上面に配設されている。そのうち、エアフィルタ装置１は吸入口１８の近傍に配置されている。エアフィルタ装置１には、吸入口１８を介して客室５０からの空気調和装置１０内に流入した空気が導かれる。
【００１６】
ろ材２は、客室５０から吸入口１８を介して空気調和装置１０内に流入した空気に含まれる粉塵を回収するものであり、輪っか状で、例えばサラン材からなるメッシュや他のフィルタで構成される。駆動軸３ａは、ろ材２の内側の一端側の一部が巻かれたものである。駆動軸３ｂは、ろ材２の内側の他端側の一部が巻かれたものである。巻き取りモータは、駆動軸３ａ，３ｂのいずれかを駆動するモータである。
【００１７】
吸込ノズル６は、ろ材２に付着した粉塵を吸い込む筒状のものであり、一端がろ材２側に開放され、他端が回収箱７側に開放されている。回収箱７は、吸込ノズル６で吸引した粉塵が回収される箱体である。回収箱７は、ろ材２の一部と対向する側面が開口して開口部７ａが形成され、開口部７ａの周縁に吸込ノズル６の他端が接続されている。回収箱７は、その下面が吸入口１８の一部と対向する位置に設けられ、開閉自在となっている。回収箱７の開口部７ａと対向する側には吸引装置９が配置され、回収箱７は吸込ノズル６と吸引装置９の間に位置している。吸引装置９は、吸込ファン９ａを有し、ろ材２に付着した粉塵を回収箱７の内部に導くものである。
【００１８】
ここで、図４に示されるように、回収箱７は、回収口２１ａが形成された紙パック２１を備え、吸込ノズル６から回収箱７内部に回収された粉塵は紙パック２１内に捕集される。紙パック２１は、回収口２１ａが回収箱７の開口部７ａに装着されるようになっている。なお、回収箱７内に設けられるパックは上述した紙パック２１に限定されず、粉塵を捕集できる袋状のものであればよい。なお、紙パック２１が、本発明の「集塵部」に相当する。
【００１９】
図３に示されるように、空気調和装置本体１０ａは、空気調和装置１０の外壁を構成し、室内熱交換器１２及び室内送風機１３が収容されている。側面カバー１１は、空気調和装置１０内に雨水等が侵入しないようにするためのものであり、空気調和装置本体１０ａよりも外側に設けられている。室内熱交換器１２は、客室５０内から空気調和装置１０内に導入された空気を熱交換するものであり、エアフィルタ装置１の下流側に設けられている。室内送風機１３は、客室５０内の空気を吸入口１８を介して空気調和装置１０に導入し、吹出口１９側へ吹き出す風路を形成するための送風機であり、室内熱交換器１２の下流側に設けられている。
【００２０】
底板１５ａ，１５ｂは、エアフィルタ装置１から室内熱交換器１２に通じる通路の両側に設けられ、空気調和装置本体１０ａの底部を構成する板である。図３に矢印で示すように、エアフィルタ装置１及び空気調和装置本体１０ａは、底板１５ａ，１５ｂの間に形成され、通路を介して連通している。底板１５ａ，１５ｂの下面には、それぞれシールパッキン１６ａ，１６ｂが取り付けられる。底板１５ａに取り付けられたシールパッキン１６ａは屋根１４ａに密着し、車両１００内への雨水等の浸入を抑制する。底板１５ｂに取り付けられるシールパッキン１６ｂは屋根１４ｂに密着し、ダクト（図示省略）を流れる空気の漏れを抑制する。
【００２１】
以下に、空気調和装置１０の動作について説明する。
空気調和装置１０は、図示しないモータの駆動により室内送風機１３が回転すると、客室５０の空気が吸入口１８を介して空気調和装置１０内のエアフィルタ装置１に導入される。この空気は、ろ材２で粉塵が除去されて室内熱交換器１２に導入される。室内熱交換器１２で熱交換された空気は、吹出口１９から吹き出される。
【００２２】
次に、エアフィルタ装置１の動作について説明する。
巻取りモータの駆動により、駆動軸３ａ，３ｂが回転し、この回転に伴ってろ材２も移動する。そして、吸込ファン９ａの駆動により、ろ材２に付着した粉塵は、駆動軸３ａの近傍に設けられている吸込ノズル６により吸い込まれ、回収箱７内の紙パック２１に捕集される。
【００２３】
図５は、本発明の実施の形態１に係るエアフィルタ装置１の回収箱７の縦断面図である。
開口部７ａの上部及び開口部７ａの下部には、可動式のナイロンクリップ２２ａ，２２ｂ、及び保持部２０ａ，２０ｂが設けられている。ナイロンクリップ２２ａ，２２ｂは、それぞれ上下にスライド可能なナイロン製のクリップである。保持部２０ａ，２０ｂは、紙パック２１の回収口２１ａの周縁を保持するものである。ナイロンクリップ２２ａ，２２ｂが保持部２０ａ，２０ｂを挟み込むことで、紙パック２１を回収箱７に固定する。
【００２４】
なお、ナイロンクリップ２２ａ，２２ｂが設けられる例について説明したが、紙パック２１を着脱可能にするものであれば、ナイロン以外の材料からなるクリップを採用してもよい。ナイロンクリップ２２ａ，２２ｂが、本発明の「固定手段」に相当する。
【００２５】
吸込ノズル６と回収箱７を仕切る部分にはパッキン２３ａ，２３ｂが設けられ、吸込ノズル６の他端と回収箱７との隙間をなくし、吸込ノズル６と紙パック２１との密着性を向上させることができる。パッキン２３ａは回収口２１ａの上部に位置し、更に上部にナイロンクリップ２２ａが位置している。パッキン２３ｂは回収口２１ａの下部に位置し、更に下部にナイロンクリップ２２ｂが位置している。
【００２６】
回収箱７の下方の開口部分は開閉自在な蓋２８で覆われている。蓋２８は、吸入口１８側の端部に設けられるヒンジ２４と、吸引装置９側の端部に設けられる蓋開閉手段３０とを備える。ヒンジ２４は、蓋２８を回動自在に支持するものである。使用者は、ヒンジ２４の取付部位を回動中心として、蓋２８を回動することができる。蓋開閉手段３０は、例えばネジや係合部材で構成され、蓋２８を覆った状態で固定することができる。なお、蓋２８を開閉自在にするための部材は、ヒンジ２４に限定されず、例えば蝶番でもよい。
【００２７】
以下に、紙パック２１の交換手順について説明する。
まず、使用者は、蓋開閉手段３０を客室５０側に引いて蓋２８を解放し、露出した紙パック２１を取り外す。紙パック２１の取り外しは、ナイロンクリップ２２ａを上方にスライドさせて保持部２０ａ，２０ｂの挟み込みを解放し、ナイロンクリップ２２ｂを下方にスライドさせて保持部２０ａ，２０ｂの挟み込みを解放することにより行われる。
次に、使用者は、回収口２１ａがナイロンクリップ２２ａ，２２ｂ近傍に位置するように紙パック２１を配置した状態で、ナイロンクリップ２２ａを下方にスライドさせて保持部２０ａ，２０ｂを挟み込み、ナイロンクリップ２２ｂを上方にスライドさせて保持部２０ａ，２０ｂを挟み込み、紙パック２１を回収箱７に取り付ける。このようにして紙パック２１の交換が終了すると、使用者は、蓋開閉手段３０を介して蓋２８を空気調和装置１０側に押し、回収箱７の下面の開口を覆った状態に戻す。
【００２８】
以上のように、本実施の形態１に係るエアフィルタ装置１は、ろ材２と、ろ材２に付着した粉塵を捕集する紙パック２１と、紙パック２１が設けられ、ろ材２の一部と対向する側面に開口部７ａが形成された回収箱７と、ろ材２に付着した粉塵を回収箱７の内部に導く吸引装置９とを備え、回収箱７は、下面が吸入口１８の一部と対向する位置に設けられ、開閉自在となっている。このため、空気調和装置１０の構造や空気調和装置１０が設けられる車両１００の構造に影響を与えることなく、回収箱７内の粉塵を容易に回収できる。
【００２９】
また、本実施の形態１に係るエアフィルタ装置１は、回収口２１ａの上部及び回収口２１ａの下部に設けられた可動式のナイロンクリップ２２ａ，２２ｂと、ナイロンクリップ２２ａ，２２ｂを保持する保持部２０ａ，２０ｂを備えている。
そして、ナイロンクリップ２２ａ，２２ｂをスライドさせて保持部２０ａ，２０ｂを挟み込むことで、紙パック２１は回収箱７に固定され、ナイロンクリップ２２ａ，２２ｂをスライドさせて保持部２０ａ，２０ｂへの挟み込みを解放することで、紙パック２１は回収箱７から取り外される。このため、回収箱７内の粉塵を容易に回収できる。
【００３０】
実施の形態１では、ナイロンクリップ２２ａ，２２ｂをスライドさせて紙パック２１を回収箱７に固定するあるいは紙パック２１を回収箱７から取り外す例について説明したが、例えば係合させる等の方法により固定してもよい。
【００３１】
実施の形態２．
図６は、本発明の実施の形態２に係るエアフィルタ装置１の回収箱７の縦断面図である。
本実施の形態２では、実施の形態１と同様の構成について同一符号を付して重複した構成の説明を省略し、実施の形態１と相違する構成を中心に説明する。
【００３２】
本実施の形態２では、実施の形態１と同様にナイロンクリップ２２ａが設けられ、実施の形態１で述べたナイロンクリップ２２ｂの位置に、バネ押え付で水平移動可能な第１プランジャ２５が設けられている。すなわち、本実施の形態２では、実施の形態１のナイロンクリップ２２ｂが第１プランジャ２５に置き換わった構成となっている。
そして、ナイロンクリップ２２ａを下方にスライドさせて保持部２０ａを挟み込み、第１プランジャ２５を回収箱７の内側に向かって水平方向に移動させることで、紙パック２１は回収箱７内に固定される。また、ナイロンクリップ２２ａを上方にスライドさせて保持部２０ａへの挟み込みを解放し、第１プランジャ２５を回収箱７の外側に向かって水平方向に移動させることで、紙パック２１は回収箱７から取り外される。このようにして、紙パック２１の着脱を容易に行うことができる。したがって、回収箱７内の粉塵を容易に回収できる。
【００３３】
実施の形態３．
図７は、本発明の実施の形態３に係るエアフィルタ装置１の回収箱７の縦断面図である。
本実施の形態３では、実施の形態１と同様の構成について同一符号を付して重複した構成の説明を省略し、実施の形態１と相違する構成を中心に説明する。
【００３４】
本実施の形態３では、実施の形態１と同様にナイロンクリップ２２ａが設けられ、実施の形態１で述べたナイロンクリップ２２ｂの位置に、バネ押え付で上下移動可能な第２プランジャ２６ａが設けられている。
吸引装置９と対向する回収箱７の面（すなわち、回収箱７の開口面と対向する面）であって第２プランジャ２６ａと同一高さ位置あるいは同一高さ位置近傍には、バネ押え付で上下移動可能な第３プランジャ２６ｂが設けられている。
【００３５】
回収箱７には、第２プランジャ２６ａ、第３プランジャ２６ｂを差し込むことができるように、それぞれ窪み部２９ａ，２９ｂが形成されている。また、回収箱７内に設けられた紙パック２１が紙パック収納箱２７に予め収納された構成となっている。なお、本発明の「同一高さ位置」には、同一高さ位置も同一高さ位置の近傍も含むものとする。
そして、ナイロンクリップ２２ａを下方にスライドさせて保持部２０ａを挟み込み、第２プランジャ２６ａ、第３プランジャ２６ｂをそれぞれ窪み部２９ａ，２９ｂに差し込むことで、紙パック２１は回収箱７内に固定される。また、ナイロンクリップ２２ａを上方にスライドさせて保持部２０ａへの挟み込みを解放し、第２プランジャ２６ａ、第３プランジャ２６ｂをそれぞれ窪み部２９ａ，２９ｂから抜くことで、紙パック２１は回収箱７から取り外される。このようにして、紙パック２１の着脱を容易に行うことができる。
したがって、回収箱７内の粉塵を容易に回収できる。
【００３６】
実施の形態４．
図８は、本発明の実施の形態４に係るエアフィルタ装置１の回収箱７の縦断面図である。
本実施の形態４では、実施の形態３と同様の構成について同一符号を付して重複した構成の説明を省略し、実施の形態３と相違する構成を中心に説明する。
【００３７】
本実施の形態４では、紙パック２１及び紙パック収納箱２７が蓋２８に予め固定される構成となっている。なお、実施の形態１においてヒンジ２４が設けられていた位置には、蓋開閉手段３０が代わりに設けられている。
【００３８】
このため、蓋開閉手段３０を開放して蓋２８を外すと、蓋２８に固定された紙パック２１も取り外される。したがって、回収箱７内の粉塵を容易に回収できる。
【００３９】
なお、以上の実施の形態では、エアフィルタ装置１及び空気調和装置１０を車両１００への適用例を示したが、例えば建物等へ適用することもできる。
【００４０】
また、エアフィルタ装置１が空気調和装置１０の構成の一部としている例について説明したが、エアフィルタ装置１が空気調和装置１０と別の構成として設けられていてもよい。
【符号の説明】
【００４１】
１  エアフィルタ装置、２  ろ材、３ａ，３ｂ  駆動軸、６  吸込ノズル、７  回収箱、７ａ  開口部、９  吸引装置、９ａ  吸込ファン、１０  空気調和装置、１０ａ  空気調和装置本体、１１  側面カバー、１２  室内熱交換器、１３  室内送風機、１４ａ，１４ｂ  屋根、１５ａ，１５ｂ  底板、１６ａ，１６ｂ  シールパッキン、１７  天井、１８  吸入口、１９  吹出口、２０ａ，２０ｂ  保持部、２１  紙パック、２１ａ  回収口、２２ａ，２２ｂ  ナイロンクリップ、２３ａ，２３ｂ  パッキン、２４  ヒンジ、２５  第１プランジャ、２６ａ  第２プランジャ、２６ｂ  第３プランジャ、２７  紙パック収納箱、２８  蓋、２９ａ，２９ｂ  窪み部、３０  蓋開閉手段、５０  客室、１００  車両。
【図１】
2014121674.tif 000003
【図２】
2014121674.tif 000004
【図３】
2014121674.tif 000005
【図４】
2014121674.tif 000006
【図５】
2014121674.tif 000007
【図６】
2014121674.tif 000008
【図７】
2014121674.tif 000009
【図８】
2014121674.tif 000010